(57)【要約】  【課題】  ユーザが体験した情報を適切なタイミングで提示できる地図表示システムを提供する。  【解決手段】  地図表示システム１は、地図データ記憶部２４と、ＰＯＩデータ記憶部３４と、ユーザの体験を文章によって記述した体験内容とを含む体験データを記憶した体験データ記憶部４０と、ユーザが有する端末装置１０の現在位置を検出する端末位置検出部１６と、端末装置１０の位置に基づいてＰＯＩデータを読み出すＰＯＩデータ読出部３６と、ＰＯＩデータ読出部３６にて読み出したＰＯＩの説明文と、体験データ記憶部３４に記憶された体験内容を比較し、ＰＯＩデータ読出部３６にて読み出したいずれかのＰＯＩデータと所定の閾値以上の類似度を有する関連体験データを検索する関連体験データ検索部４２と、地図上にＰＯＩデータ読出部３６にて読み出したＰＯＩデータを表示し、さらに、関連体験データがある場合には関連体験データを表示する表示部１４とを備える。【選択図】  図１
2010102104.tif 000002
【特許請求の範囲】
【請求項１】
地図データを記憶する地図データ記憶部と、
ＰＯＩ（Point Of Interest）の位置およびＰＯＩの説明文を記憶するＰＯＩデータ記憶部と、
ユーザが過去に行ったＰＯＩの位置と、そのＰＯＩでのユーザの体験を文章によって記述した体験内容とを含む体験データを記憶した体験データ記憶部と、
ユーザが有する端末装置の現在位置を検出する端末位置検出部と、
前記現在位置を含む範囲にあるＰＯＩデータを前記ＰＯＩデータ記憶部から読み出すＰＯＩデータ読出部と、
前記ＰＯＩデータ読出部にて読み出したＰＯＩの説明文と、前記体験データ記憶部に記憶された体験内容を比較し、前記ＰＯＩデータ読出部にて読み出したいずれかのＰＯＩデータと所定の閾値以上の類似度を有する体験データを関連体験データとして検索する関連体験データ検索部と、
前記現在位置を含む地図を前記地図データ記憶部から読み出して表示し、当該地図上に前記ＰＯＩデータ読出部にて読み出したＰＯＩデータを表示し、さらに、前記関連体験データがある場合には前記関連体験データを表示する表示部と、
を備える地図表示システム。
【請求項２】
前記表示部は、前記関連体験データと所定の閾値以上の類似度を有するＰＯＩの説明文を表示する請求項１に記載の地図表示システム。
【請求項３】
前記関連体験データ検索部は、前記ＰＯＩデータ読出部にて読み出したいずれかのＰＯＩの位置が前記体験データ記憶部に記憶されたＰＯＩの位置と一致するか否かに基づいて関連体験データを検索する請求項１または２に記載の地図表示システム。
【請求項４】
前記表示部は、前記ＰＯＩデータ読出部にて読み出したＰＯＩデータのうち、前記関連体験データ検索部にて前記関連体験データがあると判断されたＰＯＩデータのみを表示する請求項１〜３のいずれかに記載の地図表示システム。
【請求項５】
前記体験データの入力を受け付ける体験データ入力部を備え、
前記体験データ入力部にて入力された体験データを前記体験データ記憶部に記憶する請求項１〜４のいずれかに記載の地図表示システム。
【請求項６】
前記端末装置は、電子マネーの機能を有し、
前記端末装置を用いて商品またはサービスを購入したときに、購入場所と購入した商品またはサービスの名称とを体験データ記憶部に記憶する請求項１〜５のいずれかに記載の地図表示システム。
【請求項７】
前記体験データ記憶部は、体験データの内容を示すタイトルをさらに対応付けて記憶しており、
前記表示部は、前記関連体験データとして、前記タイトルを表示する請求項１〜６のいずれかに記載の地図表示システム。
【請求項８】
前記体験データ記憶部は、画像データをさらに対応付けて記憶しており、
前記表示部は、前記関連体験データとして、前記画像データを表示する請求項１〜６のいずれかに記載の地図表示システム。
【請求項９】
前記表示部は、前記関連体験データがあることを示すマークを表示する請求項１〜６のいずれかに記載の地図表示システム。
【請求項１０】
前記表示部は、前記関連体験データに係る場所の方向を示す矢印を表示する請求項１〜９のいずれかに記載の地図表示システム。
【請求項１１】
前記表示部は、前記関連体験データと当該関連体験データに関連するＰＯＩデータとの関連の強さに応じて、前記矢印の太さを変える請求項１０に記載の地図表示システム。
【請求項１２】
前記表示部は、前記関連体験データに係る場所までの距離を表示する請求項１〜１１のいずれかに記載の地図表示システム。
【請求項１３】
前記表示部は、前記関連体験データに係る複数のＰＯＩが一つの画面に収まる縮尺で地図を表示する請求項１〜９のいずれかに記載の地図表示システム。
【請求項１４】
前記表示部にて表示された関連体験データの選択を受け付ける選択受付部を備え、
前記選択受付部にて受け付けた関連体験データのユーザの体験内容を表示する請求項１〜１３のいずれかに記載の地図表示システム。
【請求項１５】
地図表示システムによって、ユーザが有する端末装置の現在位置を含む地図と共にユーザの体験データを表示する方法であって、
前記地図表示システムが、地図データを記憶する地図データ記憶部を準備するステップと、
前記地図表示システムが、ＰＯＩの位置およびＰＯＩの説明文を記憶するＰＯＩデータ記憶部を準備するステップと、
前記地図表示システムが、ユーザが過去に行ったＰＯＩの位置と、そのＰＯＩでのユーザの体験を文章によって記述した体験内容とを含む体験データを記憶した体験データ記憶部を準備するステップと、
前記端末装置が、その現在位置を検出するステップと、
前記地図表示システムが、前記現在位置を含む範囲にあるＰＯＩデータを前記ＰＯＩデータ記憶部から読み出すステップと、
前記地図表示システムが、読み出したＰＯＩの説明文と、前記体験データ記憶部に記憶された体験内容を比較し、前記ＰＯＩデータ読出部にて読み出したいずれかのＰＯＩデータと所定の閾値以上の類似度を有する体験データを関連体験データとして検索するステップと、
前記地図表示システムが、前記現在位置を含む地図を前記地図データ記憶部から読み出して表示し、当該地図上に前記ＰＯＩデータ読出部にて読み出したＰＯＩデータを表示し、さらに、前記関連体験データがある場合には前記関連体験データを表示するステップと、
を備える地図表示方法。
【請求項１６】
ユーザが有する端末装置の現在位置を含む地図と共にユーザの体験データを表示するために、コンピュータに、
ユーザが過去に行ったＰＯＩの位置と、そのＰＯＩでのユーザの体験を文章によって記述した体験内容とを含む体験データを体験データ記憶部に記憶するステップと、
前記端末装置にて検出した現在位置を入力するステップと、
前記現在位置を含む範囲にあるＰＯＩデータを、ＰＯＩの位置およびＰＯＩの説明文を記憶したＰＯＩデータ記憶部から読み出すステップと、
読み出したＰＯＩの説明文と、前記体験データ記憶部に記憶された体験内容を比較し、前記ＰＯＩデータ読出部にて読み出したいずれかのＰＯＩデータと所定の閾値以上の類似度を有する体験データを関連体験データとして検索するステップと、
前記現在位置を含む地図を地図データ記憶部から読み出して表示し、当該地図上に前記ＰＯＩデータ読出部にて読み出したＰＯＩデータを表示し、さらに、前記関連体験データがある場合には前記関連体験データを表示するステップと、
を実行させるプログラム。
【発明の詳細な説明】
【技術分野】
【０００１】
本発明は、ユーザが体験した情報を地図上に表示する地図表示システムに関する。
【背景技術】
【０００２】
従来から、ユーザの記憶を思い出させる効果がある音や画像のデータを提示する思い出情報提示システムが知られている（特許文献１）。特許文献１に記載された思い出情報提示システムは、画像データとその撮影地点のデータとを関連付けて記憶しておき、車両の現在位置が撮影地点の所定距離以内に入ったことを条件として、画像データをユーザに提示するシステムである。
【０００３】
この思い出情報提示システムによれば、画像によって、ユーザが体験した情報を思い出させることができ、ユーザを楽しませることができる。
【特許文献１】特開２００８−３９５７３号公報
【発明の開示】
【発明が解決しようとする課題】
【０００４】
しかしながら、上記した思い出情報提示システムは、画像データの撮影地点付近まで行かないと画像データが提示されない。例えば、遠方に旅行に行ったときに撮影された画像データが提示されるのは、遠方の同じ場所に旅行に行ったときだけである。このように画像データの撮影地点付近まで行かないと画像データが提示されない構成では、思い出を想起させる機会が多いとは言えなかった。
【０００５】
そこで、本発明は上記背景に鑑み、ユーザが体験した情報を適切なタイミングで提示できる地図表示システムを提供することを目的とする。
【課題を解決するための手段】
【０００６】
本発明の地図表示システムは、地図データを記憶する地図データ記憶部と、ＰＯＩの位置およびＰＯＩの説明文を記憶するＰＯＩデータ記憶部と、ユーザが過去に行ったＰＯＩの位置と、そのＰＯＩでのユーザの体験を文章によって記述した体験内容とを含む体験データを記憶した体験データ記憶部と、ユーザが有する端末装置の現在位置を検出する端末位置検出部と、前記現在位置を含む範囲にあるＰＯＩデータを前記ＰＯＩデータ記憶部から読み出すＰＯＩデータ読出部と、前記ＰＯＩデータ読出部にて読み出したＰＯＩの説明文と、前記体験データ記憶部に記憶された体験内容を比較し、前記ＰＯＩデータ読出部にて読み出したいずれかのＰＯＩデータと所定の閾値以上の類似度を有する体験データを関連体験データとして検索する関連体験データ検索部と、前記現在位置を含む地図を前記地図データ記憶部から読み出して表示し、当該地図上に前記ＰＯＩデータ読出部にて読み出したＰＯＩデータを表示し、さらに、前記関連体験データがある場合には前記関連体験データを表示する表示部とを備える。
【０００７】
このように現在位置を含む範囲にあるＰＯＩに関連する体験データを体験データ記憶部から検索して表示することにより、現在位置の付近にあるＰＯＩと関連付けてユーザの体験データを提供することができる。これにより、過去に行った場所と同じ場所に行かなくても、ユーザにその場所での思い出を想起させることができる。また、体験に関連付けられた現在位置付近のＰＯＩに興味を持たせることができる。
【０００８】
本発明の地図表示システムにおいて、前記表示部は、前記関連体験データと所定の閾値以上の類似度を有するＰＯＩの説明文を表示してもよい。
【０００９】
このように体験データとともに関連するＰＯＩの説明を表示することにより、現在位置付近のＰＯＩとユーザの体験との関連性をより深く理解させることができる。
【００１０】
本発明の地図表示システムにおいて、前記関連体験データ検索部は、前記ＰＯＩデータ読出部にて読み出したいずれかのＰＯＩの位置が前記体験データ記憶部に記憶されたＰＯＩの位置と一致するか否かに基づいて関連体験データを検索してもよい。
【００１１】
このようにＰＯＩの位置を用いて関連体験データを算出することにより、例えば、過去に存在したＰＯＩが現在は存在しないような場合にも、過去にあったＰＯＩに関連するユーザの体験データを提示することができる。
【００１２】
本発明の地図表示システムにおいて、前記表示部は、前記ＰＯＩデータ読出部にて読み出したＰＯＩデータのうち、前記関連体験データ検索部にて前記関連体験データがあると判断されたＰＯＩデータのみを表示してもよい。
【００１３】
この構成により、関連体験データが、どのＰＯＩに関連するデータであるかを容易に把握することができる。
【００１４】
本発明の地図表示システムは、前記体験データの入力を受け付ける体験データ入力部を備え、前記体験データ入力部にて入力された体験データを前記体験データ記憶部に記憶してもよい。
【００１５】
このように体験データの入力を受け付けることにより、ユーザが思ったことや感じたことなども体験データとして記憶することができる。
【００１６】
本発明の地図表示システムにおいて、前記端末装置は、電子マネーの機能を有し、前記端末装置を用いて商品またはサービスを購入したときに、購入場所と購入した商品またはサービスの名称とを体験データ記憶部に記憶してもよい。
【００１７】
このように電子マネーの機能を有する端末装置による購入履歴を体験データとして記憶することにより、自動的に体験データを蓄積することができる。
【００１８】
本発明の地図表示システムにおいて、前記体験データ記憶部は、体験データの内容を示すタイトルをさらに対応付けて記憶しており、前記表示部は、前記関連体験データとして、前記タイトルを表示してもよい。
【００１９】
このようにタイトルを表示することにより、画面に複数の体験データを列挙することができる。
【００２０】
本発明の地図表示システムにおいて、前記体験データ記憶部は、画像データをさらに対応付けて記憶しており、前記表示部は、前記関連体験データとして、前記画像データを表示してもよい。この構成により、直観的に理解可能な態様で、体験データを表示することができる。
【００２１】
本発明の地図表示システムにおいて、前記表示部は、前記関連体験データがあることを示すマークを表示してもよい。
【００２２】
この構成により、タイトルや画像データが記憶されていない場合であっても、関連体験データがあることを示すことができる。
【００２３】
本発明の地図表示システムにおいて、前記表示部は、前記関連体験データに係る場所の方向を示す矢印を表示してもよい。本発明の地図表示システムにおいて、前記表示部は、前記関連体験データと当該関連体験データに関連するＰＯＩデータとの関連の強さに応じて、前記矢印の太さを変えてもよい。本発明の地図表示システムにおいて、前記表示部は、前記関連体験データに係る場所までの距離を表示してもよい。
【００２４】
このように関連体験データの場所の方向や距離を表示することにより、ユーザの関連体験の場所と現在位置との関係を把握できる。
【００２５】
本発明の地図表示システムにおいて、前記表示部は、前記関連体験データに係る複数のＰＯＩの位置が画面に収まる縮尺で地図を表示してもよい。この構成により、関連体験データに係るＰＯＩを一望することができる。
【００２６】
本発明の地図表示システムは、前記表示部にて表示された関連体験データの選択を受け付ける選択受付部を備え、前記選択受付部にて受け付けた関連体験データのユーザの体験内容を表示してもよい。
【００２７】
この構成により、最初に、体験データのインデックスを表示しておき、選択によって所望の体験内容を表示するという構成が可能となる。
【００２８】
本発明の地図表示方法は、地図表示システムによって、ユーザが有する端末装置の現在位置を含む地図と共にユーザの体験データを表示する方法であって、前記地図表示システムが、地図データを記憶する地図データ記憶部を準備するステップと、前記地図表示システムが、ＰＯＩの位置およびＰＯＩの説明文を記憶するＰＯＩデータ記憶部を準備するステップと、前記地図表示システムが、ユーザが過去に行ったＰＯＩの位置と、そのＰＯＩでのユーザの体験を文章によって記述した体験内容とを含む体験データを記憶した体験データ記憶部を準備するステップと、前記端末装置が、その現在位置を検出するステップと、前記地図表示システムが、前記現在位置を含む範囲にあるＰＯＩデータを前記ＰＯＩデータ記憶部から読み出すステップと、前記地図表示システムが、読み出したＰＯＩの説明文と、前記体験データ記憶部に記憶された体験内容を比較し、前記ＰＯＩデータ読出部にて読み出したいずれかのＰＯＩデータと所定の閾値以上の類似度を有する体験データを関連体験データとして検索するステップと、前記地図表示システムが、前記現在位置を含む地図を前記地図データ記憶部から読み出して表示し、当該地図上に前記ＰＯＩデータ読出部にて読み出したＰＯＩデータを表示し、さらに、前記関連体験データがある場合には前記関連体験データを表示するステップとを備える。
【００２９】
この構成により、上記した地図表示システムと同様に、過去に行った場所と同じ場所に行かなくても、ユーザにその場所での思い出を想起させることができると共に、体験に関連付けられた現在位置付近のＰＯＩに興味を持たせることができる。なお、上記した本発明の地図表示システムの各構成を本発明の地図表示方法に適用することが可能である。
【００３０】
本発明のプログラムは、ユーザが有する端末装置の現在位置を含む地図と共にユーザの体験データを表示するために、コンピュータに、ユーザが過去に行ったＰＯＩの位置と、そのＰＯＩでのユーザの体験を文章によって記述した体験内容とを含む体験データを体験データ記憶部に記憶するステップと、前記端末装置にて検出した現在位置を入力するステップと、前記現在位置を含む範囲にあるＰＯＩデータを、ＰＯＩの位置およびＰＯＩの説明文を記憶したＰＯＩデータ記憶部から読み出すステップと、読み出したＰＯＩの説明文と、前記体験データ記憶部に記憶された体験内容を比較し、前記ＰＯＩデータ読出部にて読み出したいずれかのＰＯＩデータと所定の閾値以上の類似度を有する体験データを関連体験データとして検索するステップと、前記現在位置を含む地図を地図データ記憶部から読み出して表示し、当該地図上に前記ＰＯＩデータ読出部にて読み出したＰＯＩデータを表示し、さらに、前記関連体験データがある場合には前記関連体験データを表示するステップとを実行させる。
【００３１】
この構成により、上記した地図表示システムと同様に、過去に行った場所と同じ場所に行かなくても、ユーザにその場所での思い出を想起させることができると共に、体験に関連付けられた現在位置付近のＰＯＩに興味を持たせることができる。なお、上記した本発明の地図表示システムの各構成を本発明のプログラムに適用することが可能である。
【発明の効果】
【００３２】
本発明によれば、現在位置を含む範囲にあるＰＯＩに関連する体験データを体験データ記憶部から読み出して表示することにより、過去に行った場所と同じ場所に行かなくても、ユーザにその場所での思い出を想起させることができると共に、体験に関連付けられた現在位置付近のＰＯＩに興味を持たせることができる。
【発明を実施するための最良の形態】
【００３３】
以下、本発明の実施の形態に係る地図表示システムについて図面を参照しながら説明する。
（第１の実施の形態）
図１は、第１の実施の形態の地図表示システム１の構成を示す図である。本実施の形態の地図表示システム１は、ユーザが有する端末装置１０と、端末装置１０とネットワークを介して接続されるセンター装置３０とを有する。端末装置１０は、例えば、カーナビゲーション装置であってもよいし、携帯電話であってもよい。図１では、一の端末装置１０しか記載していないが、地図表示システム１は、センター装置３０に対して複数の端末装置１０が接続される。
【００３４】
端末装置１０は、無線通信部１２と、表示部１４と、体験データ取得部１６と、端末位置検出部１８と、端末方向検出部２０と、時刻検出部２２と、地図データ記憶部２４とを有している。無線通信部１２は、センター装置３０と通信を行う機能を有する。表示部１４は、地図やＰＯＩのデータを表示する機能を有する。ここで、「ＰＯＩ」とは、地図に表示される地点の情報であり、例えば、レストラン、ガソリンスタンド、ホテル、コンビニエンスストア等が含まれる。
【００３５】
体験データ取得部１６は、ユーザの体験した体験内容とその体験場所等のデータを取得し、取得した体験データを無線通信部１２を通じてセンター装置３０に送信する機能を有する。体験データ取得部１６にて体験データを取得する具体的な構成としては、体験データを記述するための入力画面を表示し、ユーザに体験データの入力を促す構成が考えられる。
【００３６】
図２は、体験データを記述するための入力画面の一例を示す図である。入力画面には、タイトル、体験内容を記述する欄が設けられており、ユーザが自由にタイトル、体験内容を記述することができる。入力画面には、場所の入力の選択肢として「住所入力」「地図から入力」「現在位置」の３つが提示されている。
【００３７】
「住所入力」が選択されると、住所を入力するためのボックスが表示され、体験場所の住所の入力を受け付ける。体験データ取得部１６は、入力された住所のデータを緯度、経度に変換する。「地図から入力」が選択されると、体験場所を入力するための地図が表示され、ユーザが地図上で体験場所を指示すると、体験データ取得部１６は、指示された場所の緯度、経度を記憶する。「現在位置」が選択されると、体験データ取得部１６は、端末位置検出部１８にて検出した現在位置の緯度、経度を体験場所として記憶する。
【００３８】
入力画面には、画像の添付ボタンが設けられている。画像の添付ボタンが選択されると、体験データに添付すべき画像を選択する選択画面に移行し、ユーザに添付画像を選択させる。
【００３９】
また、体験データを取得する構成として、体験データを自動的に取得する構成を採用することもできる。例えば、端末装置１０が電子マネーの機能を有している場合に、端末装置１０を用いて購入した商品名を体験内容として取得し、購入場所を体験の場所として取得することとしてもよい。また、ユーザの会話を解析して、頻出するキーワードを体験内容として取得することとしてもよい。
【００４０】
端末位置検出部１８は、端末装置１０の現在位置を検出する機能を有する。端末位置検出部１８は、例えば、ＧＰＳ（Global Positioning System）により、現在位置を検出する。また、端末装置１０が携帯電話の場合には、複数の基地局からの電波強度に基づいて現在位置を検出してもよい。また、端末装置１０がカーナビゲーション装置の場合には、車両の絶対方位を検出するための地磁気センサ、車両の相対方位を検出するためのジャイロスコープ、車両の走行距離を検出する距離センサ等をＧＰＳと併用して端末装置１０の位置を検出してもよい。
【００４１】
端末方向検出部２０は、端末装置１０の方向を検出する機能を有する。端末方向検出部２０としては、例えば電子コンパスを用いることができる。時刻検出部２２は、現在の時刻を検出する機能を有する。
【００４２】
次に、センター装置３０について説明する。センター装置３０は、無線通信部３２と、ＰＯＩデータ記憶部３４と、ＰＯＩデータ読出部３６と、フィルタリング部３８と、体験データ記憶部４０と、関連体験データ検索部４２とを有している。無線通信部３２は、端末装置１０と通信を行う機能を有している。
【００４３】
図３は、ＰＯＩデータ記憶部３４に記憶されたデータの例を示す図である。ＰＯＩデータ記憶部３４には、ＰＯＩを特定するＩＤに関連付けて、ＰＯＩの名称、位置、属性、説明文のデータが記憶されている。
【００４４】
ＰＯＩの位置は、緯度、経度の形式で表現されたデータである。緯度、経度のデータは、ＰＯＩの住所を変換することにより求めることができる。ＰＯＩの説明文は、例えば、ＰＯＩの管理者または所有者等によって記載された広告文や説明文等を記憶してもよいし、ウェブ上にある当該ＰＯＩに関する口コミ情報等を収集して記憶してもよい。
【００４５】
ＰＯＩデータ読出部３６は、ＰＯＩデータ記憶部３４に記憶されたＰＯＩデータから、ユーザの端末装置１０の付近にあるＰＯＩデータを読み出す機能を有する。具体的には、センター装置３０は、端末装置１０から現在位置のデータを受信する。ＰＯＩデータ読出部３６は、現在位置を中心とする所定の範囲（例えば、現在位置を中心とする１Ｋｍ四方の範囲）にあるＰＯＩデータを読み出す。
【００４６】
フィルタリング部３８は、ＰＯＩデータ読出部３６にて読み出したＰＯＩデータを時刻に基づいてフィルタリングする。フィルタリング部３８は、現在時刻とＰＯＩの営業時刻とを比較して、ＰＯＩデータ読出部３６にて読み出したＰＯＩデータのうち、現在営業しているＰＯＩデータへの絞り込みを行う。
【００４７】
図４（ａ）はフィルタリング前のＰＯＩの表示例を示す図、図４（ｂ）は、フィルタリング後のＰＯＩの表示例を示す図である。図４（ａ）および図４（ｂ）から分かるように、フィルタリングによってＰＯＩの視認性を高めることができる。
【００４８】
なお、フィルタリング部３８は、ＰＯＩデータ読出部３６にて読み出されたＰＯＩデータの数が少ない場合には、必ずしもフィルタリングを行う必要はなく、読み出されたＰＯＩデータの数が所定数を超えた場合にだけフィルタリングを行うこととしてもよい。
【００４９】
関連体験データ検索部４２は、体験データ記憶部４０に記憶された体験データの中から、ＰＯＩデータに関連のある体験データを算出する機能を有する。関連体験データ検索部４２は、体験データ読出部４４と、関連性計算部４６とを有している。
【００５０】
図５は、体験データ記憶部４０に記憶された体験データの例を示す図である。体験データ記憶部４０は、端末装置１０にて取得した体験データを記憶する。なお、図５には、一人分の体験データしか示していないが、体験データ記憶部４０は、複数のユーザの体験データを記憶している。
【００５１】
体験データ記憶部４０には、体験データを特定するＩＤに関連付けて、体験の年月日、体験した位置、体験した位置にあるＰＯＩ属性、体験内容を示すタイトル、体験内容、および体験に係る画像のデータを記憶している。
【００５２】
体験データ読出部４４は、体験データ記憶部４０に記憶された体験データを順次読み出し、読み出した体験データを関連性計算部４６に渡す。関連性計算部４６は、現在位置の付近にあるＰＯＩの説明文と、体験データ記憶部４０から読み出した体験データの体験内容との類似度に基づいて、ＰＯＩデータと体験データの関連度を算出する。体験内容を記述した文とＰＯＩの説明文との類似度を求める方法としては、例えば、あるキーワードが比較対象となる文書内に現れる頻度によって、類似度を求めることができる。具体的なアルゴリズムとしては、ＴＦ・ＩＤＦ法が挙げられる。ＴＦ・ＩＤＦ法では、文書中の特徴的なキーワードを抽出し、比較対象となる２つの文書が同じキーワードを特徴的とするとき、その文書間に類似性が存在すると認めることができる。
【００５３】
関連体験データ検索部４２は、関連性計算部４６にて算出した類似度が所定の閾値より大きい体験データを関連体験データとして求める。本明細書では、ＰＯＩと体験データとの類似度が所定の閾値より大きいことを「ＰＯＩと体験データが関連する」といい、ＰＯＩに関連する体験データを「関連体験データ」といい、当該関連体験データと関連するＰＯＩを「関連ＰＯＩ」という。
【００５４】
図６は、第１の実施の形態の地図表示システム１の動作を示す図である。端末装置１０は、端末位置検出部１８によって現在位置を検出し（Ｓ１０）、検出した現在位置のデータをセンター装置３０に送信する（Ｓ１２）。センター装置３０は、端末装置１０から送信された現在位置データを受信すると（Ｓ１４）、ＰＯＩデータ記憶部３４を検索して、端末装置１０の現在位置を含む所定の範囲内にＰＯＩが存在するか否か判定する（Ｓ１６）。ＰＯＩデータが存在しない場合（Ｓ１６でＮＯ）、センター装置３０は、ＰＯＩデータが存在しないことを端末装置１０に通知する。これを受けて端末装置１０では、ＰＯＩが含まれていない地図を表示する。
【００５５】
端末装置１０の近傍にＰＯＩが存在する場合（Ｓ１６でＹＥＳ）、センター装置３０は、近傍のＰＯＩを時刻に基づいてフィルタリングし（Ｓ１８）、フィルタリングで残ったＰＯＩデータを端末装置１０に送信するための送信用データとして記憶する（Ｓ２０）。
【００５６】
次に、センター装置３０は、体験データ記憶部４０からフィルタリングによって残ったＰＯＩに関連する関連体験データを検索し、検索によって関連体験データが見つかったか否かを判定する（Ｓ２２）。この結果、関連体験データが見つかった場合には（Ｓ２２でＹＥＳ）、検索された関連体験データを送信用のデータとして記憶する（Ｓ２４）。
【００５７】
続いて、センター装置３０は、送信用データとして記憶されたＰＯＩデータと関連体験データを端末装置１０に送信する（Ｓ２６）。なお、関連体験データが見つからなかった場合には（Ｓ２２でＮＯ）、センター装置３０は、ＰＯＩデータのみを送信することになる。端末装置１０は、ＰＯＩデータと関連体験データを受信すると（Ｓ２８）、ＰＯＩデータと関連体験データを含む地図を表示する（Ｓ３０）。
【００５８】
図７は、端末装置１０の表示部１４にて表示した地図の例を示す図である。図７に示すように、表示部１４は、地図上に複数のＰＯＩの名称を表示すると共に、ＰＯＩに関連するユーザの体験データ（「子どもの頃・・・」）を表示する。また、表示部１４は、体験データを表示したＰＯＩの詳細な説明（「このレストランが・・・」）を表示している。以上、第１の実施の形態の地図表示システム１の構成および動作について説明した。
【００５９】
第１の実施の形態の地図表示システム１は、表示される地図の中にあるＰＯＩに関連するユーザの体験データを求め、その体験内容を表示するので、過去の体験の場所が現在地と異なる場合であっても、ユーザに思い出を想起させることができる。
【００６０】
また、ユーザの体験内容を表示すると共に、体験内容に関連するＰＯＩの説明を表示するので、そのＰＯＩに興味を持たせることができる。
【００６１】
なお、本実施の形態では、関連体験データの表示の一例を挙げたが、関連体験データの表示の仕方には様々な態様が考えられるので、後に詳しく述べる。
【００６２】
（第２の実施の形態）
図８は、本発明の第２の実施の形態の地図表示システム２の構成を示す図である。第２の実施の形態の地図表示システム２の基本的な構成は、第１の実施の形態の地図表示システム１と同じであるが、第２の実施の形態においては、センター装置３０ａは、提示情報選択部４８を備えている。
【００６３】
提示情報選択部４８は、提示すべきＰＯＩデータとして、フィルタリング処理で残ったＰＯＩの中から関連ＰＯＩを選択する機能を有する。これにより、第２の実施の形態の地図表示システム２では、端末装置１０は、関連ＰＯＩが存在する場合には、関連ＰＯＩのみを地図上に表示する。
【００６４】
図９は、第２の実施の形態の地図表示システム２の動作を示す図である。第２の実施の形態の地図表示システム２の基本的な動作は、第１の実施の形態の地図表示システム１と同じである。
【００６５】
第２の実施の形態の地図表示システム２は、第１の実施の形態の地図表示システム１と同様に、現在位置の検出（Ｓ１０）から時刻によるフィルタリング（Ｓ１８）までを行う。地図表示システム２では、センター装置３０ａは、時刻によるフィルタリングを行った後、フィルタリングによって残ったＰＯＩに関連する関連体験データを検索し、検索によって関連体験データが見つかったか否かを判定する（Ｓ３２）。この結果、関連体験データが見つかった場合には（Ｓ３２でＹＥＳ）、センター装置３０ａは、関連ＰＯＩのみを送信用のＰＯＩデータとして記憶し（Ｓ３４）、検索された関連体験データを送信用のデータとして記憶する（Ｓ３６）。関連体験データが見つからなかった場合には（Ｓ３２でＮＯ）、センター装置３０ａは、時刻によるフィルタリングによって残ったＰＯＩデータを送信用のＰＯＩデータとして記憶する（Ｓ３８）。
【００６６】
センター装置３０ａは、記憶されている送信用データを端末装置１０に送信する（Ｓ４０）。これにより、関連体験データがある場合には、関連体験データおよび関連ＰＯＩデータが端末装置１０に送信され、関連体験データがない場合には、フィルタリングによって残ったすべてのＰＯＩデータが端末装置１０に送信される。端末装置１０は、センター装置３０ａから送信されたＰＯＩデータおよび関連体験データを受信すると（Ｓ４２）、表示部１４にて関連体験データを含む地図を表示する。
【００６７】
図１０は、第２の実施の形態の地図表示システム２にて表示された地図の例を示す図である。図１０に示すように、第２の実施の形態の地図表示システム２においては、地図上に表示されるＰＯＩは、関連ＰＯＩだけであるので、ユーザは体験に関連するＰＯＩを容易に判断することができる。
【００６８】
なお、本実施の形態では、提示情報選択部４８をセンター装置３０ａに設け、センター装置３０ａにて提示情報を選択する例について説明したが、提示情報の選択は端末装置１０が行ってもよい。すなわち、センター装置３０ａから端末装置１０へは、第１の実施の形態と同様に、ＰＯＩデータと関連体験データを送信し、端末装置１０が、受信したＰＯＩデータの中から地図上に表示するＰＯＩを選択することとしてもよい。これにより、センター装置３０ａにおいて、ＰＯＩデータを選択しなくてもよいので、センター装置３０ａの処理の負荷を軽減できる。
【００６９】
（第３の実施の形態）
図１１は、第３の実施の形態の地図表示システム３の構成を示す図である。第１の実施の形態および第２の実施の形態では、端末装置１０とセンター装置３０，３０ａによって地図表示システム１，２を構成する例について説明したが、本実施の形態の地図表示システム３は、端末装置１０ａのみによって構成されている。すなわち、本実施の形態では、第２の実施の形態においてセンター装置３０ａが有していた各構成を端末装置１０ａが有している。
【００７０】
図１２は、第３の実施の形態の地図表示システム３の動作を示す図である。第３の実施の形態の地図表示システム３の基本的な動作は、端末装置１０ａとセンター装置３０の間のやり取りがない点を除いて、第２の実施の形態の地図表示システム２の動作と同じである。
【００７１】
端末装置１０ａは、まず、端末装置１０ａの現在位置を検出し（Ｓ５０）、現在位置を含む所定の範囲内にＰＯＩデータが存在するか否かを判定する（Ｓ５２）。ＰＯＩデータが存在しない場合には（Ｓ５２でＮＯ）、端末装置１０ａは、現在位置を検出する処理（Ｓ５０）に戻る。
【００７２】
現在位置の近傍にＰＯＩデータが存在する場合には（Ｓ５２でＹＥＳ）、端末装置１０ａは、時刻によるフィルタリングを行なって、ＰＯＩデータの絞込みを行う（Ｓ５４）。次に、端末装置１０ａは、フィルタリングによって残ったＰＯＩの関連体験データを検索し、関連体験データがあるか否か判定する（Ｓ５６）。関連体験データがある場合には（Ｓ５６でＹＥＳ）、端末装置１０ａは、その関連体験データに関連するＰＯＩのみを地図上に表示すると共に（Ｓ５８）、関連体験データを表示する（Ｓ６０）。関連体験データがない場合には（Ｓ５６でＮＯ）、端末装置１０ａは、地図上にＰＯＩの名称を表示する（Ｓ６２）。
【００７３】
このように端末装置１０ａのみで地図表示システム３を構成することにより、センター装置３０と通信を行うことなく、ユーザの体験データを含む地図を表示することができる。
【００７４】
なお、本実施の形態では、地図表示システム３を構成する端末装置１０ａについて説明したが、本実施の形態の端末装置１０ａの各構成を実現するモジュールを有するプログラムも本発明に含まれる。
【００７５】
（地図の表示例）
次に、本発明の地図表示システムによる関連体験データの様々な表示例について説明する。なお、以下の説明は例示であり、本発明の地図表示システムの表示の仕方は、下記の表示例に限定されるものではない。
【００７６】
図１３〜図２１は、地図表示システムによる表示例を示す図である。図１３に示す例では、地図表示システムは、関連体験データの体験内容を表示すると共に、その体験場所の方向と距離を表示している。この例では、方向は矢印によって表され、距離は矢印の下に記載されている。
【００７７】
図１４では、説明が記述されたＰＯＩ（Ａレストラン）に対して、複数の関連体験データが存在している。地図表示システムは、関連体験データの体験内容を表すタイトル（「変な料理に挑戦」「旅先の名物料理」等）と、各体験場所の方向と距離をサブウィンドウ内に表示している。タイトルは、例えば、ブログなどのようにユーザが記載した文章のタイトルを利用してもよい。地図表示システムは、体験場所の方向を矢印によって表し、体験場所までの距離をタイトルの下に表示している。また、この例では、矢印の太さによって、各体験データの関連の強さを示している。
【００７８】
図１５は、図１４に示す例において、体験データのタイトル（「立ち話」）がクリックによって選択されたときの表示例を示す図である。体験データのタイトルが選択されると、その体験場所を含む地図に切り替わり、体験場所のＰＯＩを表示すると共に、体験内容（「１週間前に、・・・」）を表示する。
【００７９】
図１６では、説明が記述されたＰＯＩに対して、複数の関連体験データが存在している。地図表示システムは、現在位置を中心とする円内に体験場所を示す矢印を配し、その矢印の終点の先に体験内容を表すタイトルまたはサムネイル画像を表示している。矢印の太さは、各体験データの関連の強さを示している。この例では、サムネイル画像は、ＰＯＩとの関連の最も強い体験データについて使用されている。なお、この例においても、体験データのタイトルがクリックされたときに、図１５に示すような体験内容を示す画像に切り替わることとしてもよい。
【００８０】
図１７では、説明が記述されたＰＯＩに対して、複数の関連体験データが存在している。地図表示システムは、画面の周縁に体験場所を示す矢印を配し、その矢印の始点側に体験内容を表すタイトルまたは体験内容を表示している。矢印の太さは、各体験データの関連の強さを示している。この例では、体験内容は、ＰＯＩとの関連の最も強い体験データについて表示されている。なお、この例においても、体験データのタイトルがクリックされたときに、図１５に示すような体験内容を示す画像に切り替わることとしてもよい。
【００８１】
図１８に示す例では、地図表示システムは、関連する複数のユーザの体験の体験場所を広域地図に表示し、体験場所を一望できるように表示している。各体験場所には、体験内容を示すタイトルを表示している。なお、この例において、タイトルがクリックされたときに、図１５に示すような体験内容を示す画像に切り替わることとしてもよい。
【００８２】
図１９に示す例では、関連体験データに係る画像をサムネイル画像として画面の下部に並べて表示している。なお、この例においても、体験データのタイトルがクリックされたときに、図１５に示すような体験内容を示す画像に切り替わることとしてもよい。
【００８３】
図２０に示す例では、ＰＯＩに関連する体験データが存在することをイクスクラメーションマークによって表示している。この例において、イクスクラメーションマークがクリックされたときには、図１５に示すような体験内容を示す画面に切り替わることとしてもよい。
【００８４】
上記した表示例においては、ユーザ体験に関連するＰＯＩの説明を表示する例を挙げていたが、図２１に示す例では、ユーザ体験に関連するＰＯＩの説明は表示せず、体験内容だけを表示する。この例においては、ＰＯＩをクリックされたときに、ＰＯＩの説明を表示する。
【００８５】
以上、本発明の地図表示システムについて実施の形態を挙げて詳細に説明したが、本発明は上記した実施の形態に限定されるものではない。
【００８６】
上記した実施の形態では、関連性計算部４６は、ＰＯＩの説明文と体験内容とを比較してＰＯＩと体験データの関連性を計算する例について説明したが、ＰＯＩの位置と体験場所とを比較することにより関連性を計算することとしてもよい。
【００８７】
上記した実施の形態では、体験データとして、ユーザが実際にその場所に行って体験した内容を記憶する例について説明したが、例えば、検索エンジンによる検索やメール等を通じて体験したデータを記憶することとしてもよい。例えば、検索エンジンによる検索結果から選択した観光スポット等のＰＯＩを体験データ記憶部４０に記憶してもよい。また、メール本文に記載された住所を位置に変換し、変換された位置のデータを体験場所として体験データ記憶部４０に記憶すると共に、メール本文の内容を体験内容として記憶してもよい。これにより、友人等からのメールに関連のあるＰＯＩの情報を提供することができる。
【００８８】
上記した実施の形態では、端末装置１０から体験データを入力する例について説明したが、体験データは、端末装置１０とは異なる装置（例えばユーザの自宅のＰＣ等）から入力してもよい。例えば、ユーザが自宅のＰＣでブログを記載しているような場合に、ブログの内容を体験データとして記憶してもよい。
【００８９】
上記した実施の形態では、端末装置１０の周辺のＰＯＩを時刻によってフィルタリングする例について説明したが、フィルタリングは別の方法によって行ってもよい。
【００９０】
図２２（ａ）および図２２（ｂ）は、ＰＯＩの属性によってフィルタリングを行う例を示す図である。図２２（ａ）および図２２（ｂ）において、同じマークは同じ属性を示している。図２２（ａ）に示すように、同じ属性を有する複数のＰＯＩが存在する場合に、図２２（ｂ）に示すように、属性の偏りが少なくなるようにＰＯＩをフィルタリングしてもよい。
【００９１】
また、端末方向検出部２０の結果を利用してフィルタリングしてもよい。例えば、端末方向検出部２０にて検出した端末方向と反対側にあるＰＯＩを多く削るようなフィルタリングをしてもよい。
【産業上の利用可能性】
【００９２】
本発明は、過去に行った場所と同じ場所に行かなくても、ユーザにその場所での思い出を想起させることができると共に、体験に関連付けられた現在位置付近のＰＯＩに興味を持たせることができるという効果を有し、ＰＯＩと共に地図を表示する地図表示システム等として有用である。
【図面の簡単な説明】
【００９３】
【図１】第１の実施の形態の地図表示システムの構成を示す図である。
【図２】体験データの入力画面の例を示す図である。
【図３】ＰＯＩデータ記憶部に記憶されたデータの例を示す図である。
【図４】（ａ）フィルタリング前の地図の表示例を示す図である。（ｂ）フィルタリング後の地図の表示例を示す図である。
【図５】体験データ記憶部に記憶されたデータの例を示す図である。
【図６】第１の実施の形態の地図表示システムの動作を示す図である。
【図７】第１の実施の形態の地図表示システムによる地図の表示例を示す図である。
【図８】第２の実施の形態の地図表示システムの構成を示す図である。
【図９】第２の実施の形態の地図表示システムの動作を示す図である。
【図１０】第２の実施の形態の地図表示システムによる地図の表示例を示す図である。
【図１１】第３の実施の形態の地図表示システムの構成を示す図である。
【図１２】第３の実施の形態の地図表示システムの動作を示す図である。
【図１３】地図表示システムの表示例を示す図である。
【図１４】地図表示システムの表示例を示す図である。
【図１５】地図表示システムの表示例を示す図である。
【図１６】地図表示システムの表示例を示す図である。
【図１７】地図表示システムの表示例を示す図である。
【図１８】地図表示システムの表示例を示す図である。
【図１９】地図表示システムの表示例を示す図である。
【図２０】地図表示システムの表示例を示す図である。
【図２１】地図表示システムの表示例を示す図である。
【図２２】（ａ）フィルタリング前の地図の表示例を示す図である。（ｂ）フィルタリング後の地図の表示例を示す図である。
【符号の説明】
【００９４】
１〜３  地図表示システム
１０，１０ａ，  端末装置
１２  無線通信部
１４  表示部
１６  体験データ取得部
１８  端末位置検出部
２０  端末方向検出部
２２  時刻検出部
２４  地図データ記憶部
３０，３０ａ  センター装置
３２  無線通信部
３４  ＰＯＩデータ記憶部
３６  ＰＯＩデータ読出部
３８  フィルタリング部
４０  体験データ記憶部
４２  関連体験データ検索部
４４  体験データ読出部
４６  関連性計算部
４８  提示情報選択部
【図１】
2010102104.tif 000003
【図２】
2010102104.tif 000004
【図３】
2010102104.tif 000005
【図４】
2010102104.tif 000006
【図５】
2010102104.tif 000007
【図６】
2010102104.tif 000008
【図７】
2010102104.tif 000009
【図８】
2010102104.tif 000010
【図９】
2010102104.tif 000011
【図１０】
2010102104.tif 000012
【図１１】
2010102104.tif 000013
【図１２】
2010102104.tif 000014
【図１３】
2010102104.tif 000015
【図１４】
2010102104.tif 000016
【図１５】
2010102104.tif 000017
【図１６】
2010102104.tif 000018
【図１７】
2010102104.tif 000019
【図１８】
2010102104.tif 000020
【図１９】
2010102104.tif 000021
【図２０】
2010102104.tif 000022
【図２１】
2010102104.tif 000023
【図２２】
2010102104.tif 000024